(57)【要約】【課題】  液体消費装置に対して容易且つ確実に装着することができる液体容器を提供すること。【解決手段】  底部１１６ｂ及び周壁１１６ａを備えた凹部１１６が形成された面を有する容器本体２と、前記凹部１１６ａ内に、その少なくとも一部が前記凹部１１６ａの前記底部１１６ｂから前記面に向けて延出し、前記凹部の前記底部に垂直な方向から見て少なくとも３つの縁部を有する案内突起部２１６を備え、前記周壁１１６ａと前記案内突起部２１６の前記縁部２１６ａとの間で所定の幅を有する経路が形成されている【選択図】      図１７
2006015722.tif 000002
【特許請求の範囲】
【請求項１】
底部及び周壁を備えた凹部が形成された面を有する容器本体と、
前記凹部内に、その少なくとも一部が前記凹部の前記底部から前記面に向けて延出し、前記凹部の前記底部に垂直な方向から見て少なくとも３つの縁部を有する案内突起部を備え、
前記周壁と前記案内突起部の前記縁部との間で所定の幅を有する経路が形成されている液体容器。
【請求項２】
前記案内突起部は、前記凹部の前記底部に垂直な方向から見て３つの頂点を持つ略三角形状である、請求項１記載の液体容器。
【請求項３】
前記凹部の前記底部に垂直な方向から見て、前記頂点の少なくとも１つは外方向延出突起部を含む、請求項２記載の液体容器。
【請求項４】
前記周壁の一部に、前記外方向延出突起部との間で所定幅の経路を維持するように配置された突起部が形成されている、請求項３記載の液体容器。
【請求項５】
前記凹部の前記底部に垂直な方向から見て、前記突起部は前記案内突起部に向かって延出している、請求項４記載の液体容器。
【請求項６】
前記経路はループを形成している、請求項１記載の液体容器。
【請求項７】
底部及び周壁を備えた凹部が形成された面を有する容器本体と、
前記凹部内に設けられ、その少なくとも一部は前記凹部の前記底部から前記面に向けて延出する案内突起部と、
前記周壁と前記案内突起部との間で経路を形成し、前記経路は、平坦な第１のフロア部、傾斜した第２のフロア部、平坦な第３のフロア部、傾斜した第４のフロア部、平坦な第５のフロア部とを備え、
前記第１のフロア部は前記第２のフロア部に通じ、前記第２のフロア部は前記第３のフロア部に通じ、前記第３のフロア部は前記第４のフロア部に通じ、前記第４のフロア部は前記第５のフロア部に通じるように形成されている、液体容器。
【請求項８】
前記平坦な第１、第３、及び第５のフロア部は平行な面にある、請求項７記載の液体容器。
【請求項９】
前記平坦な第１のフロア部及び前記傾斜した第２のフロア部は第１の線に沿って配置され、前記平坦な第３のフロア部は第１の線に交差する第２の線に沿って配置されている、請求項７記載の液体容器。
【請求項１０】
前記傾斜した第４のフロア部及び前記平坦な第５のフロア部は前記第２の線に交差する第３の線に沿って配置されている、請求項９記載の液体容器。
【請求項１１】
前記第１、第２、及び第３の線は三角形を形成するよう交差している、請求項９記載の液体容器。
【請求項１２】
前記第２及び第３の線は直角に交差している、請求項１１記載の液体容器。
【請求項１３】
前記経路はループを形成している、請求項１０記載の液体容器。
【請求項１４】
前面と、底部及び周壁を備えた凹部が形成された底面とを有する容器本体と、
前記凹部内に配置され、少なくともその一部が前記凹部の前記底部から前記底面に向かって延出する案内突起部と、を備え、
前記前面には、第１の線に沿って液体容器の内部に延出する第１の開口と、前記第１の線に略平行な第２の線に沿って前記液体容器の内部に延出する第２の開口とを有し、
前記前面に垂直な方向から見た場合に、前記第１及び前記第２の線は前記底面の少なくとも一部に平行な面にあり、前記凹部の前記底部の少なくとも一部は前記面に平行である、液体容器。
【請求項１５】
前記前面に垂直な方向から見た場合に、前記前面には、前記凹部に通じる開口部を有し、前記第１の開口は前記第２の開口より前記開口部近傍に位置し、前記開口部は２つの垂直縁部を備え、前記垂直縁部は第１及び第２の垂直面に平行であり、
前記開口部は、前記第１の開口の少なくとも一部が前記第１及び第２の垂直面の間に配置されるように形成されている、請求項１４記載の液体容器。
【請求項１６】
前記前面に垂直な方向から見て、前記第１の線は、前記第１及び第２の垂直面の間に位置する、請求項１５記載の液体容器。
【請求項１７】
前面と、底部及び周壁を備えた凹部が形成された底面とを有する容器本体と、
前記凹部内に、少なくともその一部が前記凹部の前記底部から前記底面に向かって延出する案内突起部と、を備え、
前記前面には、第１の線に沿って前記液体容器内部に延出する第１の開口と、前記第１の線に略平行な第２の線に沿って前記液体容器内部に延出する第２の開口とを有し、
前記前面に垂直な方向から見て、前記第１線及び第２の線は、前記底面の少なくとも一部に平行であり、前記凹部の前記底部の少なくとも一部は、前記底面に平行である、液体容器。
【請求項１８】
前記案内突起部と前記周壁との間で経路が形成され、前記経路はループを形成している、請求項１７記載の液体容器。
【請求項１９】
内部と、底部及び周壁を備えた凹部が形成された底面、前面、及び側面とを有すると共に、前記底面、前記前面及び前記側面はそれぞれの交差垂直面に位置する容器本体と、
前記凹部内に配置され、その少なくとも一部が前記凹部の前記底部から前記底面に向けて延出し、前記凹部の前記底部に垂直な方向から見て、少なくとも３つの縁部を有する案内突起部と、
前記容器本体の前記内部と連通し、前記前面に位置する液体供給口と、
前記容器の前記内部と流体連通し、前記前面に位置する空気口と、
前記前面に位置する第１及び第２の位置決め孔と、を備え、
前記周壁と前記案内突起部の前記縁部との間で所定の幅を有する経路が形成されている液体容器。
【請求項２０】
前記凹部と、前記第１及び第２の位置決め孔の１つは、前記交差垂直面によって画定される隅部近傍に形成されている、請求項１９記載の液体容器。
【請求項２１】
前記側面に、電極を有する記憶装置が配設されている、請求項１９記載の液体容器。
【請求項２２】
前記記憶装置、前記凹部、及び前記第１及び第２の位置決め孔の１つは、前記交差垂直面によって画定される隅部近傍に位置している、請求項２１記載の液体容器。
【請求項２３】
前記底面に、前記液体容器の性質を特定する溝部が形成されている、請求項１９記載の液体容器。
【請求項２４】
前記底面に、前記液体容器の性質を特定する溝部が形成されていると共に、前記底面に垂直な方向から見て、前記溝部及び前記凹部の仮想延長部はそれぞれ、前記第１及び第２の位置決め孔と重なるように形成されている、請求項１９記載の液体容器。
【請求項２５】
前記凹部の前記底部に垂直な方向から見て、前記案内突起部は３つの頂点を持つ略三角形状である、請求項１９記載の液体容器。
【請求項２６】
前記凹部の前記底部に垂直な方向から見て、前記案内突起部の前記頂点の少なくとも１つに外方向延出突起部を有する、請求項２５記載の液体容器。
【請求項２７】
前記周壁の一部に、前記外方向延出突起部との間で所定幅の経路を維持するように配置された突起部が形成されている、請求項２６記載の液体容器。
【請求項２８】
前記凹部の前記底部に垂直な方向から見て、前記突起部は前記案内突起部に向かって延出している、請求項２７記載の液体容器。
【請求項２９】
前記経路はループを形成している、請求項１９記載の液体容器。
【請求項３０】
内部と、底部及び周壁を備えた凹部が形成された底面、前面、及び側面とを有する略矩形状であって、前記底面、前記前面及び前記側面がそれぞれの交差垂直面に位置している容器本体と、
前記凹部内に配置され、その少なくとも一部は、前記凹部の前記底部から前記面に向けて延出する案内突起部と、
前記容器本体の前記内部と連通し、前記前面に位置する液体供給口と、
前記容器の前記内部と流体連通し、前記前面に位置する空気口と、
前記前面に位置する第１の位置決め孔及び第２の位置決め孔と、を備え、
前記周壁と前記案内突起部との間で経路を形成し、前記経路は、平坦な第１のフロア部、傾斜した第２のフロア部、平坦な第３のフロア部、傾斜した第４のフロア部、平坦な第５のフロア部とを備え、前記第１のフロア部は前記第２のフロア部に通じ、前記第２のフロア部は前記第３のフロア部に通じ、前記第３のフロア部は前記第４のフロア部に通じ、前記第４のフロア部は前記第５のフロア部に通じるように形成されている、液体容器。
【請求項３１】
前記凹部と、前記第１及び第２の位置決め孔の１つは、前記交差垂直面によって画定される隅部近傍に形成されている、請求項３０記載の液体容器。
【請求項３２】
前記側面に、電極を備えた記憶装置が配設されている、請求項３０記載の液体容器。
【請求項３３】
前記記憶装置、前記凹部、及び前記第１及び第２の位置決め孔の１つは、前記交差垂直面によって画定される隅部近傍に位置している、請求項３２記載の液体容器。
【請求項３４】
前記底面に前記液体容器の性質を特定する溝部が形成されている、請求項３０記載の液体容器。
【請求項３５】
前記底面に前記液体容器の性質を特定する溝部が形成されており、前記底面に垂直な方向から見て、前記溝部及び前記凹部の仮想延長部はそれぞれ、前記第１及び第２の位置決め孔と重なるように位置している、請求項３０記載の液体容器。
【請求項３６】
前記平坦な第１、第３、及び第５のフロア部は平行な面にある、請求項３０記載の液体容器。
【請求項３７】
前記平坦な第１のフロア部及び前記傾斜した第２のフロア部は第１の線に沿って配置され、前記平坦な第３のフロア部は第１の線と交差する第２の線に沿って配置されている、請求項３０記載の液体容器。
【請求項３８】
前記傾斜した第４のフロア部及び前記平坦な第５のフロア部は第２の線と交差する第３の線に沿って配置されている、請求項３７記載の液体容器。
【請求項３９】
前記経路はループを形成している、請求項３８記載の液体容器。
【請求項４０】
前記交差する第１、第２、及び第３の線は三角形を形成している、請求項３８記載の液体容器。
【請求項４１】
前記第１及び第２の線は直角に交差する、請求項４０記載の液体容器。
【請求項４２】
内部と、底部及び周壁を備えた凹部が形成された底面、前面、及び側面とを持つ略矩形状であり、前記底面、前記前面、及び前記側面がそれぞれの交差垂直面に位置している容器本体と、
前記凹部内に配置され、その少なくとも一部は、前記凹部の前記底部から前記底面に向かって延出する案内突起部と、を備え、
前記前面は、第１の線に沿って前記液体容器内部に延出する第１の開口と、前記第１の線に略平行な第２の線に沿って前記液体容器内部に延出する第２の開口とを有し、
前記前面に垂直な方向から見て、前記第１及び第２の線は前記底面の少なくとも一部に平行な面にあり、前記凹部の前記底部の少なくとも一部は前記面に平行である、液体容器。
【請求項４３】
前記凹部と、前記第１及び第２の位置決め孔の１つは、前記交差垂直面によって画定される隅部近傍に形成されている、請求項４２記載の液体容器。
【請求項４４】
前記側面に、電極を備えた記憶装置が配設されている、請求項４２記載の液体容器。
【請求項４５】
前記記憶装置、前記凹部、及び前記第１及び第２の位置決め孔の１つは、前記交差垂直面によって画定される隅部近傍に位置している、請求項４４記載の液体容器。
【請求項４６】
前記底面に前記液体容器の性質を特定する溝部が形成された、請求項４２記載の液体容器。
【請求項４７】
前記底面に前記液体容器の性質を特定する溝部が形成され、前記底面に垂直な方向から見て、前記溝部及び前記凹部の仮想延長部はそれぞれ、前記第１及び第２の位置決め孔と重なるように位置する、請求項４２記載の液体容器。
【請求項４８】
前記前面に垂直な方向から見て、前記前面は、前記凹部に通じる開口部を有し、前記第１の開口は前記第２の開口より前記開口部近傍に位置し、前記前面の前記開口部は２つの垂直縁部を備え、前記垂直縁部は第１及び第２の垂直面に平行にあり、前記開口部は、前記第１の開口の少なくとも一部が前記第１及び第２の垂直面の間に配置されるように形成されている、請求項４２記載の液体容器。
【請求項４９】
前記前面に垂直な方向から見て、前記第１の線は、前記第１及び第２の垂直面の間に位置している、請求項４８記載の液体容器。
【請求項５０】
内部と、前面、及び底部及び周壁を備えた凹部が形成された底面とを持つ略矩形状で、前記底面、前記前面、及び前記側面がそれぞれの交差垂直面に位置している容器本体と、
前記凹部内に配置され、その少なくとも一部は前記凹部の前記底部から前記底面に向かって延出する案内突起部と、を備え、
前記前面は、第１の線に沿って前記液体容器の内部に延出する第１の開口と、前記第１の線に略並行な第２の線に沿って前記液体容器の内部に延出する第２の開口とを有し、
前記前面に垂直な方向から見て、前記第１及び第２の開口は、前記底面の少なくとも一部に平行な面にあり、前記凹部の前記底部の少なくとも一部は前記面に平行である、液体容器。
【請求項５１】
前記凹部と、前記第１及び第２の開口の１つは、前記交差垂直面によって画定される隅部近傍に形成されている、請求項５０記載の液体容器。
【請求項５２】
前記側面に、電極を備えた記憶装置が配設されている、請求項５０記載の液体容器。
【請求項５３】
前記記憶装置、前記凹部、及び前記第１及び第２の開口の１つは前記交差垂直面によって画定される隅部近傍に位置している、請求項５２記載の液体容器。
【請求項５４】
前記底面に、前記液体容器の性質を特定する溝部が形成されている、請求項５０記載の液体容器。
【請求項５５】
前記底面に前記液体容器の性質を特定する溝部が形成され、前記底面に垂直な方向から見て、前記溝部及び前記凹部の仮想延長部はそれぞれ、前記第１及び第２の開口と重なる、請求項５０記載の液体容器。
【請求項５６】
前記案内突起部と前記周壁との間で経路を形成し、前記経路はループを形成している、請求項５０記載の液体容器。
【請求項５７】
内部と、底面及び周壁を備えた凹部が形成された底面、前面、及び側面とを持つ略矩形状であり、前記底面、前記前面及び前記側面がそれぞれの交差垂直面に位置している容器本体と、
前記凹部内に配置され、その少なくとも一部は、前記凹部の前記底部から前記面に向けて延出し、前記凹部の前記底面に垂直な方向から見て少なくとも第１、第２、及び第３の縁部を有する案内突起部と、
前記容器本体の前記内部と連通し、前記前面に位置する液体供給口と、
前記液体供給口がそれらの間に位置するように前記前面に位置する第１及び第２の位置決め孔と、
前記側面に配設された、電極を有する記憶装置と、を備え、
前記凹部、前記記憶装置、及び前記第１及び第２の位置決め孔の１つは、前記交差垂直面によって画定される隅部近傍に位置し、
前記周壁と前記案内突起部の前記縁部との間で経路を形成し、前記経路は、入口側案内部、中間案内部、固定部、及び出口側案内部を含み、
前記入口側案内部は、前記案内突起部の前記第１の縁部によって少なくとも部分的に画定され、前記案内突起部の前記第１の縁部は前記前面及び側面に対して傾斜し、前記底面に垂直であり、
前記中間案内部は、前記周壁の第１及び第２の部分によって少なくとも部分的に画定され、前記週壁の前記第１の部分は、前記側面及び前記底面に垂直で、前記前面に平行であり、前記周壁の前記第２の部分は、前記周壁の前記第１の部分から前記案内突起部の前記第２の縁部に向けて延出し、前記底面及び前記前面に垂直で、前記側面に平行であり、
前記固定部は、前記案内突起部の前記第２の縁部の第１及び第２の部分によって少なくとも部分的に画定され、前記第２の縁部の前記第１の部分は、前記側面及び前記底面に垂直で、前記前面に平行であり、前記第２の縁部の前記第２の部分は、前記第２の縁部の前記第１の部分から外方向に延出し、前記底面及び前記前面に垂直で、前記側面に平行であり、
前記出口側案内部は、前記周壁の第３及び第４の部分によって少なくとも部分的に画定され、前記周壁の前記第３の部分は、前記底面及び前記側面に垂直で、前記前面に平行であり、前記周壁の前記第４の部分は、前記周壁の前記第３の部分から前記案内突起部の前記第３の縁部に沿って延出し、前記底面及び前記前面に垂直で、前記側面に平行であり、
前記入口側案内部の端部、及び前記出口側案内部の端部は、段差によって共に接続されている、液体容器。
【請求項５８】
係止ピン、前記ピンに対して第１の方向に第１のバイアス力を印加する第１のバイアス部材、及び挿入方向において装着部に挿入された前記液体容器に対して前記挿入方向とは反対で前記第１の方向に垂直な第２の方向に第２のバイアス力を印加する第２のバイアス部材とを備えた液体消費装置の装着部に着脱可能な液体容器であって、
内部と、底面及び周壁を備えた凹部が形成された底面、前面、及び側面とを有する略矩形状で、前記底面、前記前面及び前記側面がそれぞれの交差垂直面に位置している容器本体と、
前記凹部内に配置され、その少なくとも一部は、前記凹部の前記底部から前記面に向けて延出し、前記凹部の前記底面に垂直な方向から見て、少なくとも第１、第２、及び第３の縁部を有する案内突起部と、
前記容器本体の前記内部と連通し、前記前面に位置する液体供給口と、
前記液体供給口がそれらの間に位置するように前記前面に位置する第１及び第２の位置決め孔と、
前記側面に配設された記憶装置と、を備え、
前記凹部、前記記憶装置、及び前記第１及び第２の位置決め孔の１つは、前記交差垂直面によって画定される隅部近傍に位置し、
前記周壁と前記案内突起部の前記縁部との間で形成された経路に前記ピンの通過を可能とし、前記経路は、入口側案内部、中間案内部、固定部、及び出口側案内部を含み、
前記入口側案内部は、前記案内突起部の前記第１の縁部によって少なくとも部分的に画定され、前記案内突起部の前記第１の縁部は、前記液体容器が前記第２のバイアス力に抗して前記装着部に挿入される際に前記第１のバイアス力に抗して前記ピンを案内し、
前記中間案内部は、前記周壁の第１及び第２の部分によって少なくとも部分的に画定され、前記周壁の前記第１の部分は、前記液体容器が前記第２のバイアス力に抗して前記装着部に挿入される際の前記ピンとの接触時に、前記液体容器の第１の完全挿入位置を画定し、前記周壁の前記第２の部分は、前記液体容器が前記第１の完全挿入位置に位置する時、前記第１のバイアス力に抗して前記ピンを停止し、
前記固定部は、前記案内突起部の前記第２の縁部の第１及び第２の部分によって少なくとも部分的に画定され、前記第２の縁部の前記第１の部分は、前記液体容器が前記第１の完全挿入位置から所定の固定位置まで前記第２のバイアス力によって移動する際の前記ピンとの接触時に、前記第２のバイアス力に抗して前記カートリッジを保持し、前記第２の縁部の前記第２の部分は、前記液体容器が前記第１の完全挿入位置から前記所定の固定位置まで前記第２のバイアス力によって移動する際に、前記第１のバイアス力に抗して前記ピンを保持し、
前記出口側案内部は、前記周壁の第３及び第４の部分によって少なくとも部分的に画定され、前記周壁の前記第３の部分は、前記液体容器が前記所定の固定位置から前記第２のバイアス力に抗して移動する際の前記ピンとの接触時に、前記液体容器の第２の完全挿入位置を画定し、前記周壁の前記第４の部分は、前記第１のバイアス力に抗して前記ピンを案内し、前記液体容器を前記第２の完全挿入位置から前記第２のバイアス力によって移動し、
前記入口側案内部の端部及び前記出口側案内部の端部は、段差によって共に接続され、前記ピンが前記出口側案内部に直接入るのを防止し、前記ピンを前記入口側案内部内に案内するよう形成されている、液体容器。
【発明の詳細な説明】
【技術分野】
【０００１】
本発明は、液体消費装置に供給される液体を内部に貯留し、液体消費装置の容器装着部に着脱自在に装着される液体容器に関する。
【背景技術】
【０００２】
液体消費装置の代表例としては、噴射ヘッドから液滴を噴射する液体噴射装置があり、この液体噴射装置の代表例としては、画像記録用のインクジェット式記録ヘッドを備えたインクジェット式記録装置がある。その他の液体噴射装置としては、例えば液晶ディスプレー等のカラーフィルタ製造に用いられる色材噴射ヘッドを備えた装置、有機ＥＬディスプレー、面発光ディスプレー（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置等が挙げられる。
【０００３】
液体噴射装置の代表例であるインクジェット式記録装置は、印刷時の騒音が比較的小さく、しかも小さなドットを高い密度で形成できるため、昨今においてはカラー印刷を含めた多くの印刷に使用されている。
【０００４】
インクジェット式記録装置で代表される液体消費装置に対する液体の供給方式としては、液体を貯留した液体容器から液体消費装置に液体を供給する方式がある。さらに、この液体容器による液体供給方式においては、液体容器内の液体が消費された時点でユーザーが簡単に液体容器を交換できるようにするために、液体消費装置に対して着脱可能に構成されたカートリッジとして液体容器を構成するのが一般的である。
【０００５】
一般にインクジェット式記録装置は、インク滴を吐出する記録ヘッドが搭載され記録媒体の記録面に沿って往復動するキャリッジを備えており、インクカートリッジから記録ヘッドへのインクの供給方式としては、キャリッジにインクカートリッジを装着し、記録ヘッドと共に往復動するインクカートリッジから記録ヘッドにインクを供給する方式がある。また、他の方式としては、インクカートリッジを装置本体のケース等に装着すると共に、可撓性チューブ等で形成したインク流路を介してインクカートリッジから記録ヘッドにインクを供給する方式がある。
【０００６】
上記いずれのインク供給方式においても、インクカートリッジを装置本体の所定の位置に容易且つ確実に装着し固定できることが求められており、さらに、インクカートリッジの交換等に際してはインクカートリッジを装置本体から容易且つ確実に取り外せることが求められている。
【０００７】
そこで、従来のインクジェット式記録装置及びインクカートリッジにおいては、インクカートリッジを装置本体の所定の位置に確実に固定するための機構として、例えば、インクカートリッジを装置本体のカートリッジホルダー等に挿入した後、係止レバー等を操作してインクカートリッジを係止レバー等によって押さえて固定する機構が採用されていた。
【０００８】
【特許文献１】国際公開第９９／５９８２３号パンフレット
【発明の開示】
【発明が解決しようとする課題】
【０００９】
しかしながら、このようなカートリッジ固定機構では、カートリッジホルダー等へのインクカートリッジの挿入ステップと、係止レバー等を操作する挿入後の固定ステップとが別個独立のステップとなり、装置本体へのインクカートリッジの装着操作が煩雑であった。また、この従来のカートリッジ固定機構においては、インクカートリッジを取り外す際にも２ステップの操作が必要となる。
【００１０】
また、装着時におけるインクカートリッジの固定が挿入ステップと同時に達成される機構も考えられるが、この場合でも、インクカートリッジを取り外す際には固定を解除するステップが必要となり、この固定解除ステップは、それに続いて行われるインクカートリッジの引き抜き動作とはまったく異なる動作で行われる。このため、インクカートリッジの取り外し操作が煩雑なものとなってしまう。
【００１１】
また、従来のインクジェット式記録装置及びインクカートリッジの中には、インクの種類、残量等の情報を記憶させる記憶素子（ＩＣ）をインクカートリッジに設けると共に、装置本体側（例えばカートリッジホルダー）に、ＩＣ側電極に接続される装置側接点を設けた構成のものがある。
【００１２】
そして、このようなＩＣを備えたインクカートリッジを装置本体に装着する際には、装置本体へのインクカートリッジの装着時にＩＣ側電極と装置側接点とを確実に接続する必要があり、さらにその接続状態を確実に維持する必要がある。つまり、装置側接点とＩＣ側電極との間のズレを導通可能な範囲内に抑える必要がある。例えば、ＩＣ側電極の寸法を大きくすることによって装置側接点に対するズレの許容範囲を大きくすることも考えられるが、ＩＣ側電極の大型化に伴ってインクカートリッジ自体も大型になってしまうという問題がある。
【００１３】
本発明は、上述した事情に鑑みてなされたものであって、液体消費装置に対して容易且つ確実に装着することができる液体容器を提供することを目的とする。
【課題を解決するための手段】
【００１４】
上記目的を達成するために本発明の液体容器は、底部及び周壁を備えた凹部が形成された面を有する容器本体と、前記凹部内に、その少なくとも一部が前記凹部の前記底部から前記面に向けて延出し、前記凹部の前記底部に垂直な方向から見て少なくとも３つの縁部を有する案内突起部を備え、前記周壁と前記案内突起部の前記縁部との間で所定の幅を有する経路が形成されていることを特徴とする。
【００１５】
また、前記案内突起部は、前記凹部の前記底部に垂直な方向から見て、３つの頂点を持つ略三角形状であることを特徴とする。
【００１６】
また、前記凹部の前記底部に垂直な方向から見て、前記頂点の少なくとも１つは外方向延出突起部を含むことを特徴とする。
【００１７】
また、前記周壁の一部に、前記外方向延出突起部との間で所定幅の経路を維持するように配置された突起部が形成されていることを特徴とする。
【００１８】
また、前記凹部の前記底部に垂直な方向から見て、前記突起部は前記案内突起部に向かって延出するよう形成されていることを特徴とする。
【００１９】
また、前記経路はループを形成していることを特徴とする。
【００２０】
本発明の更なる実施形態は、底部及び周壁を備えた凹部が形成された面を有する容器本体と、前記凹部内に設けられ、その少なくとも一部は前記凹部の前記底部から前記面に向けて延出する案内突起部と、前記周壁と前記案内突起部との間で経路を形成し、前記経路は、平坦な第１のフロア部、傾斜した第２のフロア部、平坦な第３のフロア部、傾斜した第４のフロア部、平坦な第５のフロア部とを備え、前記第１のフロア部は前記第２のフロア部に通じ、前記第２のフロア部は前記第３のフロア部に通じ、前記第３のフロア部は前記第４のフロア部に通じ、前記第４のフロア部は前記第５のフロア部に通じるように形成されていることを特徴とする。
【００２１】
また、前記平坦な第１、第３、及び第５のフロア部は平行な面にあることを特徴とする。
【００２２】
また、前記平坦な第１のフロア部及び前記傾斜した第２のフロア部は第１の線に沿って配置され、前記平坦な第３のフロア部は第１の線に交差する第２の線に沿って配置されていることを特徴とする。
【００２３】
また、前記傾斜した第４のフロア部及び前記平坦な第５のフロア部は前記第２の線に交差する第３の線に沿って配置されていることを特徴とする。
【００２４】
また、前記第１、第２、及び第３の線は三角形を形成するよう交差していることを特徴とする。
【００２５】
また、前記第２及び第３の線は直角に交差していることを特徴とする。
【００２６】
前記経路はループを形成していることを特徴とする。
【００２７】
本発明の別の実施の形態は、前面と、底部及び周壁を備えた凹部が形成された底面とを有する容器本体と、前記凹部内に配置され、少なくともその一部が前記凹部の前記底部から前記底面に向かって延出する案内突起部と、を備え、前記前面には、第１の線に沿って液体容器の内部に延出する第１の開口と、前記第１の線に略平行な第２の線に沿って前記液体容器の内部に延出する第２の開口とを有し、前記前面に垂直な方向から見た場合に、前記第１及び前記第２の線は前記底面の少なくとも一部に平行な面にあり、前記凹部の前記底部の少なくとも一部は前記面に平行であることを特徴とする。
【００２８】
また、前記前面に垂直な方向から見た場合に、前記前面には、前記凹部に通じる開口部を有し、前記第１の開口は前記第２の開口より前記開口部近傍に位置し、前記開口部は２つの垂直縁部を備え、前記垂直縁部は第１及び第２の垂直面に平行であり、前記開口部は、前記第１の開口の少なくとも一部が前記第１及び第２の垂直面の間に配置されるように形成されていることを特徴とする。
【００２９】
また、前記前面に垂直な方向から見た場合に、前記第１の線は、前記第１及び第２の垂直面の間に位置することを特徴とする。
【００３０】
本発明の別の実施の形態は、前面と、底部及び周壁を備えた凹部が形成された底面とを有する容器本体と、前記凹部内に、少なくともその一部が前記凹部の前記底部から前記底面に向かって延出する案内突起部と、を備え、前記前面には、第１の線に沿って前記液体容器内部に延出する第１の開口と、前記第１の線に略平行な第２の線に沿って前記液体容器内部に延出する第２の開口とを有し、前記前面に垂直な方向から見て、前記第１線及び第２の線は、前記底面の少なくとも一部に平行であり、前記凹部の前記底部の少なくとも一部は、前記底面に平行であることを特徴とする。
【００３１】
また、前記案内突起部と前記周壁との間で経路を形成し、前記経路はループを形成していることを特徴とする。
【００３２】
本発明の別の実施の形態は、内部と、底部及び周壁を備えた凹部が形成された底面、前面、及び側面とを有すると共に、前記底面、前記前面及び前記側面はそれぞれの交差垂直面にある容器本体と、前記凹部内に配置され、その少なくとも一部が前記凹部の前記底部から前記底面に向けて延出し、前記凹部の前記底部に垂直な方向から見て、少なくとも３つの縁部を有する案内突起部と、前記容器本体の前記内部と連通し、前記前面に位置する液体供給口と、前記容器の前記内部と流体連通し、前記前面に位置する空気口と、前記前面に位置する第１及び第２の位置決め孔と、を備え、前記周壁と前記案内突起部の前記縁部との間で所定の幅を有する経路が形成されていることを特徴とする。
【００３３】
また、前記凹部と、前記第１及び第２の位置決め孔の１つは、前記交差垂直面によって画定される隅部近傍に形成されていることを特徴とする。
【００３４】
また、前記側面に、電極を有する記憶装置が配設されていることを特徴とする。
【００３５】
また、前記記憶装置、前記凹部、及び前記第１及び第２の位置決め孔の１つは、前記交差垂直面によって画定される隅部近傍に位置していることを特徴とする。
【００３６】
また、前記底面に、前記液体容器の性質を特定する溝部が形成されていることを特徴とする。
【００３７】
また、前記底面に、前記液体容器の性質を特定する溝部が形成されていると共に、前記底面に垂直な方向から見て、前記溝部及び前記凹部の仮想延長部はそれぞれ、前記第１及び第２の位置決め孔と重なるように形成されていることを特徴とする。
【００３８】
また、前記凹部の前記底部に垂直な方向から見て、前記案内突起部は３つの頂点を持つ略三角形状であることを特徴とする。
【００３９】
また、前記凹部の前記底部に垂直な方向から見て、前記案内突起部の前記頂点の少なくとも１つに外方向延出突起部を有することを特徴とする。
【００４０】
また、前記周壁の一部に、前記外方向延出突起部との間で所定幅の経路を維持するように配置された突起部が形成されていることを特徴とする。
【００４１】
また、前記凹部の前記底部に垂直な方向から見て、前記突起部は前記案内突起部に向かって延出していることを特徴とする。
【００４２】
また、前記経路はループを形成していることを特徴とする。
【００４３】
本発明の別の実施の態様は、内部と、底部及び周壁を備えた凹部が形成された底面、前面、及び側面とを有する略矩形状であって、前記底面、前記前面及び前記側面がそれぞれの交差垂直面に位置している容器本体と、前記凹部内に配置され、その少なくとも一部は、前記凹部の前記底部から前記面に向けて延出する案内突起部と、前記容器本体の前記内部と連通し、前記前面に位置する液体供給口と、前記容器の前記内部と流体連通し、前記前面に位置する空気口と、前記前面に位置する第１の位置決め孔及び第２の位置決め孔と、を備え、前記周壁と前記案内突起部との間で経路を形成し、前記経路は、平坦な第１のフロア部、傾斜した第２のフロア部、平坦な第３のフロア部、傾斜した第４のフロア部、平坦な第５のフロア部とを備え、前記第１のフロア部は前記第２のフロア部に通じ、前記第２のフロア部は前記第３のフロア部に通じ、前記第３のフロア部は前記第４のフロア部に通じ、前記第４のフロア部は前記第５のフロア部に通じるように形成されていることを特徴とする。
【００４４】
また、前記凹部と、前記第１及び第２の位置決め孔の１つは、前記交差垂直面によって画定される隅部近傍に形成されていることを特徴とする。
【００４５】
また、前記側面に、電極を備えた記憶装置が配設されていることを特徴とする。
【００４６】
また、前記記憶装置、前記凹部、及び前記第１及び第２の位置決め孔の１つは、前記交差垂直面によって画定される隅部近傍に位置していることを特徴とする。
【００４７】
また、前記底面に前記液体容器の性質を特定する溝部が形成されていることを特徴とする。
【００４８】
また、前記底面に前記液体容器の性質を特定する溝部が形成されており、前記底面に垂直な方向から見て、前記溝部及び前記凹部の仮想延長部はそれぞれ、前記第１及び第２の位置決め孔と重なることを特徴とする。
【００４９】
また、前記平坦な第１、第３、及び第５のフロア部は平行な面にあることを特徴とする。
【００５０】
また、前記平坦な第１のフロア部及び前記傾斜した第２のフロア部は第１の線に沿って配置され、前記平坦な第３のフロア部は第１の線と交差する第２の線に沿って配置されていることを特徴とする。
【００５１】
また、前記傾斜した第４のフロア部及び前記平坦な第５のフロア部は第２の線と交差する第３の線に沿って配置されていることを特徴とする。
【００５２】
また、前記経路はループを形成していることを特徴とする。
【００５３】
また、前記交差する第１、第２、及び第３の線は三角形を形成していることを特徴とする。
【００５４】
また、前記第１及び第２の線は直角に交差することを特徴とする。
【００５５】
本発明の別の態様は、内部と、底部及び周壁を備えた凹部が形成された底面、前面、及び側面とを持つ略矩形状であり、前記底面、前記前面、及び前記側面がそれぞれの交差垂直面に位置している容器本体と、前記凹部内に配置され、その少なくとも一部は、前記凹部の前記底部から前記底面に向かって延出する案内突起部と、を備え、前記前面は、第１の線に沿って前記液体容器内部に延出する第１の開口と、前記第１の線に略平行な第２の線に沿って前記液体容器内部に延出する第２の開口とを有し、前記前面に垂直な方向から見て、前記第１及び第２の線は前記底面の少なくとも一部に平行な面にあり、前記凹部の前記底部の少なくとも一部は前記面に平行であることを特徴とする。
【００５６】
また、前記凹部と、前記第１及び第２の位置決め孔の１つは、前記交差垂直面によって画定される隅部近傍に形成されていることを特徴とする。
【００５７】
また、前記側面に、電極を備えた記憶装置が配設されていることを特徴とする。
【００５８】
また、前記記憶装置、前記凹部、及び前記第１及び第２の位置決め孔の１つは、前記交差垂直面によって画定される隅部近傍に位置していることを特徴とする。
【００５９】
また、前記底面に前記液体容器の性質を特定する溝部が形成されていることを特徴とする。
【００６０】
また、前記底面に前記液体容器の性質を特定する溝部が形成され、前記底面に垂直な方向から見て、前記溝部及び前記凹部の仮想延長部はそれぞれ、前記第１及び第２の位置決め孔と重なることを特徴とする。
【００６１】
また、前記前面に垂直な方向から見て、前記前面は、前記凹部に通じる開口部を有し、前記第１の開口は前記第２の開口より前記開口部近傍に位置し、前記前面の前記開口部は２つの垂直縁部を備え、前記垂直縁部は第１及び第２の垂直面に平行にあり、前記開口部は、前記第１の開口の少なくとも一部が前記第１及び第２の垂直面の間に配置されるように形成されていることを特徴とする。
【００６２】
また、前記前面に垂直な方向から見て、前記第１の線は、前記第１及び第２の垂直面の間に位置していることを特徴とする。
【００６３】
本発明の別の態様は、内部と、前面、及び底部及び周壁を備えた凹部が形成された底面とを持つ略矩形状で、前記底面、前記前面、及び前記側面がそれぞれの交差垂直面に位置している容器本体と、前記凹部内に配置され、その少なくとも一部は前記凹部の前記底部から前記底面に向かって延出する案内突起部と、を備え、前記前面は、第１の線に沿って前記液体容器の内部に延出する第１の開口と、前記第１の線に略並行な第２の線に沿って前記液体容器の内部に延出する第２の開口とを有し、前記前面に垂直な方向から見て、前記第１及び第２の開口は、前記底面の少なくとも一部に平行な面にあり、前記凹部の前記底部の少なくとも一部は前記面に平行であることを特徴とする。
【００６４】
また、前記凹部と、前記第１及び第２の開口の１つは、前記交差垂直面によって画定される隅部近傍に形成されていることを特徴とする。
【００６５】
また、前記側面に、電極を備えた記憶装置が配設されていることを特徴とする。
【００６６】
また、前記記憶装置、前記凹部、及び前記第１及び第２の開口の１つは前記交差垂直面によって画定される隅部近傍に位置していることを特徴とする。
【００６７】
また、前記底面に、前記液体容器の性質を特定する溝部が形成されていることを特徴とする。
【００６８】
また、前記底面に前記液体容器の性質を特定する溝部が形成され、前記底面に垂直な方向から見て、前記溝部及び前記凹部の仮想延長部はそれぞれ、前記第１及び第２の開口と重なるように位置していることを特徴とする。
【００６９】
また、前記案内突起部と前記周壁との間で経路を形成し、前記経路はループを形成していることを特徴とする。
【００７０】
本発明の別の態様は、内部と、底面及び周壁を備えた凹部が形成された底面、前面、及び側面とを持つ略矩形状であり、前記底面、前記前面及び前記側面がそれぞれの交差垂直面に位置している容器本体と、前記凹部内に配置され、その少なくとも一部は、前記凹部の前記底部から前記面に向けて延出し、前記凹部の前記底面に垂直な方向から見て少なくとも第１、第２、及び第３の縁部を有する案内突起部と、前記容器本体の前記内部と連通し、前記前面に位置する液体供給口と、前記液体供給口がそれらの間に位置するように前記前面に位置する第１及び第２の位置決め孔と、前記側面に配設された電極を有する記憶装置と、を備え、前記凹部、前記記憶装置、及び前記第１及び第２の位置決め孔の１つは、前記交差垂直面によって画定される隅部近傍に位置し、前記周壁と前記案内突起部の前記縁部との間で経路を形成し、前記経路は、入口側案内部、中間案内部、固定部、及び出口側案内部を含み、前記入口側案内部は、前記案内突起部の前記第１の縁部によって少なくとも部分的に画定され、前記案内突起部の前記第１の縁部は前記前面及び側面に対して傾斜し、前記底面に垂直であり、前記中間案内部は、前記周壁の第１及び第２の部分によって少なくとも部分的に画定され、前記週壁の前記第１の部分は、前記側面及び前記底面に垂直で、前記前面に平行であり、前記周壁の前記第２の部分は、前記周壁の前記第１の部分から前記案内突起部の前記第２の縁部に向けて延出し、前記底面及び前記前面に垂直で、前記側面に平行であり、前記固定部は、前記案内突起部の前記第２の縁部の第１及び第２の部分によって少なくとも部分的に画定され、前記第２の縁部の前記第１の部分は、前記側面及び前記底面に垂直で、前記前面に平行であり、前記第２の縁部の前記第２の部分は、前記第２の縁部の前記第１の部分から外方向に延出し、前記底面及び前記前面に垂直で、前記側面に平行であり、前記出口側案内部は、前記周壁の第３及び第４の部分によって少なくとも部分的に画定され、前記周壁の前記第３の部分は、前記底面及び前記側面に垂直で、前記前面に平行であり、前記周壁の前記第４の部分は、前記周壁の前記第３の部分から前記案内突起部の前記第３の縁部に沿って延出し、前記底面及び前記前面に垂直で、前記側面に平行であり、前記入口側案内部の端部、及び前記出口側案内部の端部は、段差によって共に接続されていることを特徴とする。
【００７１】
本発明の別の態様は、係止ピン、前記ピンに対して第１の方向に第１のバイアス力を印加する第１のバイアス部材、及び挿入方向において装着部に挿入された前記液体容器に対して前記挿入方向とは反対で前記第１の方向に垂直な第２の方向に第２のバイアス力を印加する第２のバイアス部材とを備えた液体消費装置の装着部に着脱可能な液体容器であって、内部と、底面及び周壁を備えた凹部が形成された底面、前面、及び側面とを有する略矩形状で、前記底面、前記前面及び前記側面がそれぞれの交差垂直面に位置している容器本体と、前記凹部内に配置され、その少なくとも一部は、前記凹部の前記底部から前記面に向けて延出し、前記凹部の前記底面に垂直な方向から見て、少なくとも第１、第２、及び第３の縁部を有する案内突起部と、前記容器本体の前記内部と連通し、前記前面に位置する液体供給口と、前記液体供給口がそれらの間に位置するように前記前面に位置する第１及び第２の位置決め孔と、電極を有し、前記側面に設けられる記憶装置と、を備え、前記凹部、前記記憶装置、及び前記第１及び第２の位置決め孔の１つは、前記交差垂直面によって画定される隅部近傍に位置し、前記周壁と前記案内突起部の前記縁部との間で形成された経路に前記ピンの通過を可能とし、前記経路は、入口側案内部、中間案内部、固定部、及び出口側案内部を含み、前記入口側案内部は、前記案内突起部の前記第１の縁部によって少なくとも部分的に画定され、前記案内突起部の前記第１の縁部は、前記液体容器が前記第２のバイアス力に抗して前記装着部に挿入される際に前記第１のバイアス力に抗して前記ピンを案内し、前記中間案内部は、前記周壁の第１及び第２の部分によって少なくとも部分的に画定され、前記周壁の前記第１の部分は、前記液体容器が前記第２のバイアス力に抗して前記装着部に挿入される際の前記ピンとの接触時に、前記液体容器の第１の完全挿入位置を画定し、前記周壁の前記第２の部分は、前記液体容器が前記第１の完全挿入位置に位置する時、前記第１のバイアス力に抗して前記ピンを停止し、前記固定部は、前記案内突起部の前記第２の縁部の第１及び第２の部分によって少なくとも部分的に画定され、前記第２の縁部の前記第１の部分は、前記液体容器が前記第１の完全挿入位置から所定の固定位置まで前記第２のバイアス力によって移動する際の前記ピンとの接触時に、前記第２のバイアス力に抗して前記カートリッジを保持し、前記第２の縁部の前記第２の部分は、前記液体容器が前記第１の完全挿入位置から前記所定の固定位置まで前記第２のバイアス力によって移動する際に、前記第１のバイアス力に抗して前記ピンを保持し、前記出口側案内部は、前記周壁の第３及び第４の部分によって少なくとも部分的に画定され、前記周壁の前記第３の部分は、前記液体容器が前記所定の固定位置から前記第２のバイアス力に抗して移動する際の前記ピンとの接触時に、前記液体容器の第２の完全挿入位置を画定し、前記周壁の前記第４の部分は、前記第１のバイアス力に抗して前記ピンを案内し、前記液体容器を前記第２の完全挿入位置から前記第２のバイアス力によって移動し、前記入口側案内部の端部及び前記出口側案内部の端部は、段差によって共に接続され、前記ピンが前記出口側案内部に直接入るのを防止し、前記ピンを前記入口側案内部内に案内するよう形成されていることを特徴とする。
【発明を実施するための最良の形態】
【００７２】
以下、本発明による液体容器の一実施形態として、インクジェット式記録装置用のインクカートリッジについて図面を参照して説明する。
【００７３】
図１は、本実施形態によるインクカートリッジ１及びこのインクカートリッジ１が装着されるインクジェット式記録装置１００のカートリッジ装着部１０１を示した斜視図である。この例においては６つのカートリッジ装着部１０１がインクジェット式記録装置１００に設けられており、各カートリッジ装着部１０１はインクジェット式記録装置１００の前面に開口している。また、６つのカートリッジ装着部１０１は同一水平面内に並置されており、６つのインクカートリッジ１は平置きして並置される。
【００７４】
図２乃至図４は、インクカートリッジ１の外観形状を示した図であり、インクカートリッジ１は略直方体状の容器本体２を有し、この容器本体２の前面にはインクジェット式記録装置１００に供給されるインクを送出するインク供給口３が形成されている。
【００７５】
つまり、インクカートリッジの容器本体は略矩形状であり、それは、その一部がＸ、Ｙ、及びＺ平面にある壁を有する構造であることを意味する。従って本発明は、１つ以上の隅部が削り取られる、或いは前記平坦な壁の一部が湾曲する、又は他の平面にあるカートリッジ本体などの各種構造を考慮する。
【００７６】
同様に、「隅部近傍」という表現は一般的に使用され、隅部に対してある構造を位置決めすることを含み、該構造がその隅部に対して近傍にあることによって何らかの利点が得られることを意味する。
【００７７】
「上部」及び「底部」などの位置を示す表現は相対的であり、インクカートリッジの配向に依存する。従って、上面であるものは、カートリッジを逆さにした場合底面になる。
【００７８】
また、容器本体２の前面には、容器本体２の内部のインクを加圧してインク供給口３から送出するための加圧流体を容器本体２の内部に導入する加圧流体導入口４が形成されている。
【００７９】
さらに、容器本体２の前面には、カートリッジ装着部１０１に設けられた一対の位置決め突起部が挿入される一対の位置決め孔５ａ、５ｂが形成されている。一対の位置決め孔５ａ、５ｂの周囲には、カートリッジ装着部１０１の装置側位置決め面に当接されてインクカートリッジ１の挿入方向の位置決めを行うカートリッジ側位置決め面２４ａ、２４ｂが形成されている。一対の位置決め孔５ａ、５ｂ及び一対のカートリッジ側位置決め面２４ａ、２４ｂは、カートリッジ側位置決め部を構成している。
【００８０】
この実施形態において、インク供給口３、加圧流体導入口４、及び位置決め孔５ａ、５ｂの開口は、互いに平行な各線（軸）に沿ってインクカートリッジ１内に延びる。さらに、図２（ｄ）に示すように、位置決め孔５ａ、５ｂの開口は、及びその中心軸は、容器本体２の底面に平行な面Ｐ１にある。
【００８１】
また、前面を含む容器本体２の一隅部、つまりインク供給口３に関してカートリッジ側固定構造７と反対側の隅部には、誤装着防止構造６が設けられている。この誤装着防止構造６は、インクカートリッジ１をインクジェット式記録装置１００に装着する際に、所定の位置に所定のインク種のインクカートリッジ１が正しく装着されるようにするために、正しいインク種のインクカートリッジ以外は装着できないようにする形状が付与されたものである。
【００８２】
非限定的な例として、誤装着防止構造６は、その長さ、幅、及び/又は深さがインクカートリッジに含まれるインクの色又は種類に対応するいくつかの溝を備え得る。イエロー、マゼンタ、シアン、及びブラックのカートリッジはすべてその溝配置が異なっているため、カートリッジを不適当なプリンター容器に挿入することを防止する。
【００８３】
また、ユーザーが、インクカートリッジの性質及びインクカートリッジの適切な装着位置を確実に特定できる場合は、誤装着防止構造６は省略して良い。この場合、図２（ｄ）及び図３（ａ）の点線ＬＲで示されるように、簡単な直方体形状を持つ大きな凹部を誤装着防止構造６の代わりに設けることができ、この大きな凹部は、カートリッジ装着部１００１に設けられたすべての識別突起を受けられる形及び大きさになされている。
【００８４】
また、容器本体２の裏面（底面）には、容器本体２の前面に隣接して、誤装着防止構造６が設けられた隅部とは反対側の隅部に、カートリッジ側固定構造７が設けられている。このカートリッジ側固定構造７は、インクカートリッジ１が容器装着部１０１に装着された状態において、インクジェット式記録装置との挿脱を制御するためにインクカートリッジ１の引抜き方向における移動を規制するものである。
【００８５】
なお、本実施形態においては容器本体２の裏面にカートリッジ側固定構造７を設けているが、カートリッジ側固定構造７の形成位置は容器本体２の裏面に限られず、例えば容器本体２の上面に配置することもできる。
【００８６】
また、図３（ｂ）に示すように、カートリッジ側固定構造７に近い側の容器本体２の一方の側面には、インクの種類、残量等の情報を記憶させるＩＣ（半導体記憶素子）を搭載した回路基板８ｂが設けられており、この回路基板８ｂの表面にはＩＣと電気的に接続されていると共に、記録装置本体の装置側接点と接触する電極（カートリッジ側電極）８ａを備え、記憶装置８を構成している。記憶装置８は、カートリッジ側固定構造７と共に、容器本体２全体のうちのインク供給口３に近い位置に配置されている。なお、本実施形態においては回路基板８ｂ上に図４（ｂ）に示す記憶素子と電極８が形成されているが、この構造は単なる例であり、これに限定されるものではなく、他の構造も使用可能である。例えば、記憶素子と電極８ａとをＦＰＣ上に形成して両者を容器本体２の異なる位置に配置することもできる。
【００８７】
更に好ましくは、記憶素子は、カートリッジ側固定構造７及び位置決め孔５ａが形成される同じ隅部の近くに位置できる。このような配置によってすべてのカートリッジ構造の非常に正確な位置決めが可能になる。
【００８８】
図５は、インクカートリッジ１の分解斜視図であり、容器本体２は、上面が開口したケース本体２Ａと、このケース本体２Ａの上面開口を封止する蓋部材２Ｂとから成っている。図６は、インクカートリッジ１からその蓋部材２Ｂを外した状態を示している。
【００８９】
図５及び図６から分かるように、容器本体２の内部には、インクが充填された可撓性のインク収容部（説明のため破線で図示）を有するインク袋９が収納される。このインク袋９には、その内部のインクを外部に送出するためのポート部１０が設けられている。このポート部１０の内側端部には、逆止弁１１を内部に配置して蓋１２が取り付けられている。一方、ポート部１０の外側端部には、バネ１３で付勢されたバネ座１４を内部に配置してシール供給蓋１５が取り付けられている。
【００９０】
ケース本体２Ａのインク袋９を収容した領域の外周を囲むように形成された溶着部２６には、フィルム２５が熱溶着によって固定されて内部を密閉空間としている。この密閉空間は、加圧流体導入口４から導入された加圧流体（本実施形態では加圧空気）が外部に漏れることなく密閉され、加圧流体によってインク袋９のインク収容部を押圧して外部にインクを供給可能に構成されている。さらに、蓋部材２Ｂは、フィルム２５を覆うように蓋部材２Ｂに形成された係合突起２７によりケース本体２Ａに固定され、前記フィルム２５の保護と加圧時におけるフィルム２５の無用な膨張の防止をしている。
【００９１】
図７及び図８は、インクジェット式記録装置１００のカートリッジ装着部１０１にインクカートリッジ１を装着した状態を示しており、カートリッジ装着部１０１には、インクカートリッジ１の前面部が接続されるスライダー部材１０２が設けられている。このスライダー部材１０２は、インクカートリッジ１の挿抜（脱）方向にスライド可能に設けられており、インクカートリッジ１の挿入方向Ｘに対向する方向（引抜き方向Ｙ）に向かって弾発手段によって付勢されている。
【００９２】
図９及び図１０は、インクカートリッジ１が装着されていない状態のカートリッジ装着部１０１を示している。スライダー部材１０２のインクカートリッジ前面に対向する面には、一対の位置決め突起部１０３ａ、１０３ｂが設けられており、各位置決め突起部１０３ａ、１０３ｂの各基部には、各肩部によって装置側位置決め面１０４ａ、１０４ｂが設けられている。一対の位置決め突起部１０３ａ、１０３ｂ及び一対の装置側位置決め面１０４ａ、１０４ｂは、装置側位置決め部を構成している。
【００９３】
そして、スライダー部材１０２にインクカートリッジ１が接続される際に、インクカートリッジ１の前面の一対の位置決め孔５ａ、５ｂに一対の位置決め突起部１０３ａ、１０３ｂが挿入され、図４（ｄ）に示す一対のカートリッジ側位置決め面２４ａ、２４ｂと一対の装置側位置決め面１０４ａ、１０４ｂとが当接する。
【００９４】
一対の位置決め孔５ａ、５ｂ、一対の位置決め突起部１０３ａ、１０３ｂ、一対のカートリッジ側位置決め面２４ａ、２４ｂ、及び一対の装置側位置決め面１０４ａ、１０４ｂのうち、一方の位置決め孔５ａ、一方の位置決め突起部１０３ａ、一方のカートリッジ側位置決め面２４ａ、及び一方の装置側位置決め面１０４ａが、スライダー部材１０２に対してインクカートリッジ１をより正確に位置決めする機能を有しているのが好ましい。とりわけ、インクカートリッジ１の挿入方向における位置決めは、カートリッジ側位置決め面２４ａ及び装置側位置決め面１０４ａによって正確に行われる。
【００９５】
図２（ｄ）、４（ｂ）、及び４（ｄ）から明らかなように、位置決め孔５ａ及び５ｂは、これらの孔自身を垂直に通る線がインカートリッジの底部、及びインカートリッジ側固定構造の底部の溝（具体的には、本実施形態の平坦なフロア部分１９ｂ、１９ｃ、２１ｃ）に平行な面Ｐ１にあるように配置されているのが好ましい。
【００９６】
また、図２（ｄ）、４（ｂ）〜（ｄ）、及び１５（ａ）及び（ｂ）を参照すると、位置決め孔は、隣接するカートリッジ側固定構造７及び誤装着防止構造６の仮想延長部（又は突起部）と重なっていることが分かるであろう。つまり、この実施形態では図１５（ｂ）に示すように、位置決め孔５ｂは誤装着防止構造６によって画定される領域Ｒ１内に配置され、位置決め孔５ａはカートリッジ側固定構造７によって画定される領域Ｒ２内に配置される。さらに、この実施形態では図１５（ｂ）に示すように、位置決め孔５ａはインクカートリッジの前面の開口部２２ａ、２２ｂ、２２ｃの平行縁部２２ａ及び２２ｂによって画定される領域Ｒ３内に配置される。
【００９７】
図４（ｂ）から分かるように、正確な位置決めに利用される位置決め孔５ａ及びカートリッジ側位置決め面２４ａは、電極８ａを含む記憶装置８の近傍に配置されている。このように記憶装置８の近傍には、位置決め孔５ａ及びカートリッジ側位置決め面２４ａ、並びにカートリッジ側固定構造７が配置されている。
【００９８】
また、位置決め孔５ａに挿入された位置決め突起部１０３ａとカートリッジ側固定構造７とが容器本体２の厚さ方向において重なり合うように、位置決め孔５ａ及びカートリッジ側固定構造７が配置されている。その結果記憶装置は、プリンターの対応する接触構造に対して高精度に位置決めできる。
【００９９】
図１１（ａ）及び（ｂ）は、位置決め孔５ａ、位置決め突起部１０３ａ、カートリッジ側位置決め面２４ａ、及び装置側位置決め面１０３ａによって、インクカートリッジ１がスライダー部材１０２に対して正確に位置決めされた状態を示している。容器本体２の案内溝１６の係止部１８に、装置側固定構造１０７の係止ピン１１２が挿入かつ保持される。
【０１００】
さらに、図９及び図１０に示したように、スライダー部材１０２のインクカートリッジ前面に対向する面には、インクカートリッジ１の加圧流体導入口４に接続される加圧流体ポート１０５が設けられている。
【０１０１】
また、図９及び図１０に示したように、スライダー部材１０２の前面の一端部には、記憶装置８の電極８ａに接続される装置側接点１１３を有する接点用突出部１１４が設けられている。
【０１０２】
図１２及び図１３は、カートリッジ装着部１０１からスライダー部材１０２を取り外した状態を示している。カートリッジ装着部１０１の内部にはインク供給針１０６が固設されており、インクカートリッジ１がスライダー部材１０２と共に押し込まれることにより、インクカートリッジ１のインク供給口３にインク供給針１０６が挿入される。
【０１０３】
インク供給口３はインクカートリッジ１の内部と連通していることが理解できるであろう。これは、インク供給口３と、インク袋９の内部などのインクカートリッジ１の内部領域とが流体連通されていることを意味する。また、このような連通は、インク袋が省略され、インク供給口がインクカートリッジの内部と直結している構造にも対応するであろう。
【０１０４】
また、カートリッジ装着部１０１の内部には、カートリッジ側固定構造７と協働してインクカートリッジ１の引抜き方向における移動を解除可能に規制する装置側固定構造１０７が設けられている。
【０１０５】
装置側固定構造１０７は回動レバー部材１０８を備えており、この回動レバー部材１０８はその基端部を中心として回動可能に支持されており、バネ部材１０９によって一方の回転方向（図１２中の反時計回り方向）に付勢されている。
【０１０６】
図１４に示したように回動レバー部材１０８は、細長のレバー本体１１０と、このレバー本体１１０の先端部に設けられた略円柱状のピン取付部１１１と、このピン取付部１１１の頂面に設けられた、ピン取付部１１１よりも小径の略円柱状の係止ピン１１２とを備えている。
【０１０７】
図１５及び図１６に示したようにカートリッジ側固定構造７は、係止ピン１１２が挿入される矩形断面の案内溝１６から構成されている。つまり、係止ピン１１２が貫通できる幅の案内経路（つまり、本実施形態の案内溝１６）を画定するために、その経路に沿って、周壁１１６ａ及び底部１１６ｂを有する凹部１１６がインクカートリッジの底面に設けられ、案内突起部２１６は、図１７に示すように、凹部１１６の底部１１６ｂからインクカートリッジの底面に向けて突出するように凹部１１６内に配置される。案内突起部２１６は３つの縁部２１６ａ、２１６ｂ、及び２１６ｃを有する。従って、案内経路（つまり、本実施形態の案内溝１６）は、凹部１１６の周壁１１６ａ及び底部１１６ｂと、案内突起部２１６の縁部２１６ａ、２１６ｂ、及び２１６ｃによって画定される。図１７に示すように、案内突起部２１６は、３つの頂点２１６ｄ、２１６ｅ、及び２１６ｆを持つ略三角形である。頂点２１６ｆ、好ましくは頂点２１６ｅ及び２１６ｆのそれぞれは、図１７に示すように、外方向に延出する突起部として形成される。凹部１１６の周壁１１６ａの一部は、案内突起部２１６に向けて延出する突起部１１６ａ１を有する。
【０１０８】
高精度の位置決めに利用される位置決め孔５ａ及びカートリッジ側位置決め面２４ａの近傍のカートリッジ裏面隅部には凹部１７が形成されており、この凹部１７の底面に案内溝１６が刻設されている。案内溝１６の底面は、記憶装置８が配置された容器本体２の側面と垂直を成している。
【０１０９】
そして、カートリッジ装着部１０１へのインクカートリッジ１の着脱操作に際して、装置側固定構造１０７の回動レバー部材１０８の係止ピン１１２が、カートリッジ側固定構造７の案内溝１６によって案内される。
【０１１０】
案内溝１６は、インクカートリッジ１がカートリッジ装着部１０１に装着された状態において係止ピン１１２が係合されてインクカートリッジ１の引抜き方向への移動を規制する係止部１８を含んでいる。係止部１８は主に、図１７に示すように、外方向に延出する突起部２１６Ｆの左半分を含む縁部２１６ｂによって画定される。
【０１１１】
また、案内溝１６は、インクカートリッジ１がカートリッジ装着部１０１に挿入される際に係止ピン１１２を案内する入口側案内部１９と、カートリッジ装着部１０１に挿入されたインクカートリッジ１が引抜き方向へ押し返される際に係止ピン１１２を係止部１８に導く中間案内部２０と、カートリッジ装着部１０１からインクカートリッジ１を取り外す際に、インクカートリッジ１を挿入方向へ押し込むことにより係止部１８から外れた係止ピン１１２を、案内溝１６の出口に案内する出口側案内部２１とを備えている。
【０１１２】
入口側案内部１９は主に、縁部２１６ａによって画定される。図１７に示すように、中間案内部２０は主に、周壁１１６ａの部分１１６ａ２及び１１６ａ３によって画定され、部分１１６ａ３は、突起部１１６ａ１の左半分である。出口側案内部２１は主に、周壁１１６ａの部分１１６ａによって画定され、部分１１６ａ４は、案内突起部２１６の縁部２１６ｃに対向する。
【０１１３】
案内溝１６の入口側案内部１９の主要部分（直線部分）は、インクカートリッジ１の挿入・引抜き方向に対して約３０°〜約５０°を成して延設されている。また、入口側案内部１９の終端部は、突起状壁部１９ｄ（２１６ｅ）によって湾曲形状が付与されている。
【０１１４】
また、案内溝１６の入口部１６ａには、入口部傾斜面２２が形成されている。この入口部傾斜面２２は、カートリッジ装着部１０１に対するインクカートリッジ１の挿入動作に伴って相対移動する係止ピン１１２の移動方向に沿って溝深さが徐々に浅くなるように傾斜している。
【０１１５】
入口部傾斜面２２の幅（図１５（ｂ）のＲ３）は、係止部１８を含み略同一幅にて形成された案内溝１６の主要部分における溝幅よりも大きく設定されている。また、入口部傾斜面２２の幅は、係止ピン１１２が取り付けられたピン取付部１１１の径よりも大きく設定されている。一方、案内溝１６の主要部分における溝幅は、ピン取付部１１１の径よりも小さく設定されている。
【０１１６】
さらに、入口部傾斜面２２と係止部１８との間の入口側案内部１９には、カートリッジ装着部１０１へのインクカートリッジ１の挿入動作に伴って相対移動する係止ピン１１２の移動方向に沿って案内溝１６が深くなるように傾斜した深溝形成用傾斜面１９ａが形成されている。この深溝形成用傾斜面１９ａと入口部傾斜面２２との間には平坦部１９ｂが形成されている。また、深溝形成用傾斜面１９ａに続いて平坦部１９ｃが形成されている。
【０１１７】
入口部傾斜面２２によって形成された最も浅い部分の案内溝１６の深さ、即ち平坦部１９ｂの部分の溝深さは、係止ピン１１２の長さよりも小さい。また、深溝形成用傾斜面１９ａによって形成された最も深い部分の案内溝１６の深さ、即ち平坦部１９ｃの溝深さは、係止ピン１１２の長さよりも大きい。
【０１１８】
さらに、案内溝１６の中間案内部２０は、カートリッジ装着部１０１に対してインクカートリッジ１が十分に深く挿入された時点で係止部１８の方向に移動する係止ピン１１２を、係止部１８の手前で暫定的に停止させる暫定停止用側壁部２０ａを含む。側壁部２０ａは、周壁１１６ａの部分１１６ａ３に対応する。
【０１１９】
また、案内溝１６の係止部１８は、カートリッジ装着部１０１に十分に深く挿入されたインクカートリッジ１が引抜き方向へ押し返された際に暫定停止用側壁２０ａから解放されて係止部１８に移動する係止ピン１１２を、所定の係止位置で受け止めて停止させる最終停止用側壁部１８ａを含む。側壁部１８ａは突起部２１６ｆの左半分に対応する。
【０１２０】
また、出口側案内部２１の始端部には湾曲側壁部２１ａが形成されており、この湾曲側壁部２１ａに続いて直線状の傾斜面２１ｂが形成され、さらにそれに続いて直線上の平坦部２１ｃが形成されている。
【０１２１】
従って、案内溝１６は、平坦部１９ｂに対応する平坦な第１のフロア部と、傾斜面１９ａに対応する傾斜した第２のフロア部と、出口側案内部１９の端部、中間案内部２０、係止部１８、及び出口側案内部２１の先頭部分に対応する平坦な第３のフロア部と、傾斜面２１ｂに対応する傾斜した第５のフロア部と、平坦部２１ｃに対応する平坦な第５のフロア部とを含み、第１のフロア部は第２のフロア部に通じ、第２のフロア部は第３のフロア部に通じ、第３のフロア部は第４のフロア部に通じ、第４のフロア部は第５のフロア部に通じる。図１５（ａ）に示すように、第１及び第２フロア部は、第１の線Ｌ１に沿って配置され、部分２０及び１８に対応する第３のフロア部の一部と、部分２１の先頭部分は、第２の線Ｌ２に沿って略配置され、第４及び第５のフロア部は第３の線Ｌ３に沿って配置される。第２及び第３の線Ｌ２、Ｌ３は、直角に交差する。また、第１、第３、及び第５のフロア部に対応する案内溝１６の底部は、インクカートリッジの底面に平行である。
【０１２２】
また、案内溝１６の出口部１６ｂは入口部１６ａに接続されており、これにより案内溝１６は全体としてループを成している。入口部１６ａと出口部１６ｂとの接続部においては、出口部１６ｂの溝の深さが入口部１６ａの溝の深さよりも浅く、これにより接続部において段差２３（図１６（ｂ））が形成されている。この段差２３は、インクカートリッジ１がカートリッジ装着部１０１に挿入される際に係止ピン１１２が平坦部２１Ｃに進入するのを防止する。
【０１２３】
次に、図１７を参照して、インクカートリッジ１の着脱操作時における案内溝１６内での係止ピン１１２の動作について説明する。なお、図１７中の矢印Ｚは、バネ部材１０９のバイアス作用による回動レバー部材１０８の付勢方向を示していることが理解できるであろう。
【０１２４】
カートリッジ装着部１０１にインクカートリッジ１を挿入し、インクカートリッジ１のがスライダー部材１０２に接続された後、スライダー部材１０２の付勢力に抗してインクカートリッジ１を挿入方向Ｘにさらに押し込むと、回動レバー部材１０８の係止ピン１１２がインクカートリッジの前面の開口部２２ａ、２２ｂ、２２ｃから案内溝１６の入口部１６ａに挿入される（図１７中の位置Ａ）。
【０１２５】
案内溝１６の入口部１６ａには入口部傾斜面２２が形成されているので、係止ピン１１２はこの入口部傾斜面２２上を摺動しながら、溝深さ方向と反対の方向に変位する。これにより、回動レバー部材１０８若しくは回動レバー部材１０８を支持する部材が弾性的に変形し、案内溝１６の底面の方向に向けて係止ピン１１２を付勢する力が生じる。
【０１２６】
なお、係止ピン１１２の先端が入口部傾斜面２２に最初に接触した時点では、ピン取付部１１１の頂面は案内溝１６の縁部のレベルよりも落ち込んだ位置にあり、係止ピン１１２が入口部傾斜面２２上を移動する過程で、ピン取付部１１１の頂面が案内溝１６の縁部のレベルを越えるように溝深さが変化している。
【０１２７】
そして、入口部傾斜面２２を通過して平坦部１９ｂに係止ピン１１２が乗り上げた時点（図１７中の位置Ｂ）では、係止ピン１１２のみが案内溝１６中に挿入された状態にあり、ピン取付部１１１は案内溝１６の外側に位置している。これは、平坦部１９ｂの部分における案内溝１６の深さが、係止ピン１１２の長さよりも小さく設定されているためである。
【０１２８】
このように案内溝１６の入口部１６ａに入口部傾斜面２２を設けることにより、案内溝１６の入口部１６ａに係止ピン１１２が挿入される際に、係止ピン１１２がインクカートリッジ１の前面に引っ掛かることを防止することが可能であり、案内溝１６の入口部１６ａへの係止ピン１１２の挿入を円滑且つ確実に行うことができる。
【０１２９】
また、入口部傾斜面２２を形成すると共にこれに続く平坦部１９ｂの部分の溝深さを係止ピン１１２の長さよりも小さく設定したので、本実施形態のように案内溝１６の入口部１６ａの幅を大きく設定してこれに続く溝の幅を狭くした場合でも、ピン取付部１１１が案内溝１６の狭幅部に挟まってしまうことがない。そして、案内溝１６の入口部１６ａの幅を大きく設定することにより、係止ピン１１２を案内溝１６内に確実に挿入させることができる。
【０１３０】
インクカートリッジ１が挿入方向Ｘにさらに押し込まれると、係止ピン１１２は平坦部１９ｂを通過し、深溝形成用傾斜面１９ａ上を摺動しながら、溝深さ方向に変位する（図１７中の位置Ｃ）。
【０１３１】
そして、深溝形成用傾斜面１９ａを通過して係止ピン１１２が平坦部１９ｃの位置に来た時点（図１７中の位置Ｄ）では、ピン取付部１１１の頂面の周縁部が案内溝１６の縁部に係合し且つこの縁部に対して押圧されている。これは、係止ピン１１２が入口部傾斜面２２を通過する際に回動レバー部材１０８等に生じた弾性変形がこの時点でもまだ残っているためである。このようにピン取付部１１１の頂面の周縁部を案内溝１６の縁部に係合させることによって、案内溝１６の縁部を含む面（凹部１７の底面）に回動レバー部材１０８が接触して係止ピン１１２が案内溝１６から外れてしまうことを防止できる。
【０１３２】
また、係止ピン１１２が平坦部１９ｃの位置に来た時点（図１７中の位置Ｄ）では、係止ピン１１２の先端部は案内溝１６の底面から浮いた状態にある。これは、平坦部１９ｃにおける溝深さが、係止ピン１１２の長さよりも大きく設定されていることによる。
【０１３３】
インクカートリッジ１がさらに挿入方向Ｘに押し込まれ、入口側案内部１９の終端部に位置する突起状壁部１９ｄの先端近傍位置（図１７中の位置Ｅ）を係止ピン１１２が越えると、バネ部材１０９の付勢力によって矢印Ｚの方向へ係止ピン１１２が移動する。そして、係止ピン１１２は暫定停止用側壁部２０ａに衝突して止まり（図１７中の位置Ｆ）、このときにクリック音が生じる。このクリック音によりユーザーは、インクカートリッジ１が十分に深く挿入されたことを確認することができる。
【０１３４】
次に、ユーザーによる挿入方向Ｘへのインクカートリッジ１の押圧が解除されると、スライダー部材１０２の付勢力によってインクカートリッジ１が引抜き方向Ｙ（つまり、ユーザー側）に僅かに押し返される。これにより、暫定停止用側壁部２０ａにおける係止ピン１１２の係合が解除され、バネ部材１０９の付勢力によって矢印Ｚの方向へ係止ピン１１２が移動する。そして、係止ピン１１２は最終停止用側壁部１８ａに衝突して係止位置（図１７中の位置Ｇ）で止まり、このときにクリック音が生じる。このクリック音によりユーザーは、インクカートリッジ１がカートリッジ装着部１０１に正しく固定されたことを確認することができる。
【０１３５】
ここで、案内溝１６の係止部１８における溝の深さは、入口側案内部１９の平坦部１９ｃと同様に係止ピン１１２の長さよりも大きく設定されている。また、係止ピン１１２が入口部傾斜面２２を通過する際に生じた回動レバー部材１０８等の弾性変形によって、案内溝１６の底面の方向に向けて係止ピン１１２が付勢されている。
【０１３６】
このため、係止部１８で所定の係止位置に固定されている係止ピン１１２は、その全長が案内溝１６の内部に入り込んでおり、ピン取付部１１１の頂面の周縁部が案内溝１６の縁部に係合した状態にある。これにより、案内溝１６の側壁との係合により係止ピン１１２に加えられる力によって係止ピン１１２（特にその基部）がクリープを起こすことを防止できる。つまり、案内溝１６に対して係止ピン１１２が浅く引っ掛かっている状態の場合には、係止ピン１１２の基部に加えられる力が、いわゆる梃子の原理によって大きくなってしまうが、本実施形態においては上述のように係止ピン１１２がその全長にわたって案内溝１６に引っ掛かっているので、係止ピン１１２のクリープを防止することができる。
【０１３７】
また、案内溝１６に対して係止ピン１１２が十分に深く引っ掛かっていることにより、係止ピン１１２が案内溝１６から外れてしまうようなこともない。なおこの効果は、係止部１８のみに限られず、案内溝１６内を係止ピン１１２が相対移動している最中においても、ピン取付部１１１の頂面の周縁部が案内溝１６の縁部を摺動している場合に発揮される。
【０１３８】
また、係止ピン１１２はバネ部材１０９によってインクカートリッジ１の一側面の方向に向かって付勢されおり、該一側面には記憶装置８の電極８ａが設けられている。このため、バネ部材１０９の付勢力は、係止ピン１１２及び最終停止用側壁部１８ａを介して、記憶装置８の電極８ａを装置側接点１１３（図９，図１０）の方向に押し付けるように作用し、これにより、記憶装置８の電極８ａと装置側接点１１３との接続状態を確実にすることができる。
【０１３９】
次に、カートリッジ装着部１０１からインクカートリッジ１を取り外す際には、ユーザーによってインクカートリッジ１が挿入方向Ｘに僅かに押し込まれる。すると、最終停止用側壁部１８ａにおける係止ピン１１２の係合が解除され、バネ部材１０９の付勢力によって矢印Ｚの方向へ係止ピン１１２が移動する。そして、係止ピン１１２は、案内溝１６の出口側案内部２１の湾曲側壁部２１ａに衝突して暫定的に停止し（図１７中の位置Ｈ）、このときにクリック音が生じる。このクリック音によりユーザーは、カートリッジ装着部１０１に対するインクカートリッジ１の固定が解除されたことを確認することができる。
【０１４０】
続いて、ユーザーによる挿入方向Ｘへのインクカートリッジ１の押圧が解除され、スライダー部材１０２の付勢力によって引抜き方向Ｙへインクカートリッジ１が移動すると、係止ピン１１２は出口側案内部２１の直線状の傾斜面２１ｂに沿って移動する（図１７中の位置Ｉ）。このとき、傾斜面２１ｂの途中から係止ピン１１２の先端が傾斜面２１ｂに接触し、溝深さ方向と反対の方向に係止ピン１１２が上方に変位する。傾斜面２１ｂを通過した係止ピン１１２は、平坦部２１ｃを通り（図１７中の位置Ｊ）、案内溝１６の出口部１６ｂから出る。
【０１４１】
次に、インクカートリッジ１をカートリッジ装着部１０１に装着する際の、インク供給針１０６等へのインクカートリッジ１の接続過程について説明する。
【０１４２】
インクカートリッジ１をカートリッジ装着部１０１に挿入すると、まず初めに、インクカートリッジ１の位置決め孔５ａ、５ｂに、スライダー部材１０２の位置決め突起部１０３ａ、１０３ｂが挿入される。また、インクカートリッジ１の加圧流体導入口４にスライダー部材１０２の加圧流体ポート１０５が接続される。さらに、記憶装置８の電極８ａと装置側接点１１３とが接続されて両者が導通する。
【０１４３】
記憶装置８の電極８ａと装置側接点１１３とが接続された時点では、まだインク供給針１０６はインクカートリッジ１のインク供給口３に挿通されていない。従って、この時点で記憶装置８からデータを読み取り、正しいインクカートリッジ１が挿入されたか否かを判定することによって、間違ったインクカートリッジ１が挿入された場合には、インク供給針１０６が当該間違ったインクカートリッジ１のインク供給口３に挿通される前に正しいインクカートリッジ１に交換することができる。これにより、装置本体のインク流路に間違ったインクが流れ込んでしまうことを確実に防止することができる。また、この状態で、間違って挿入されたインクカートリッジ１のインク供給口３がシール等で封止されている場合には、当該シール等を不必要に破ってしまうことを回避することができる。
【０１４４】
そして、インクカートリッジ１がスライダー部材１０２に接続された後、スライダー部材１０２の付勢力に抗してインクカートリッジ１を挿入方向Ｘにさらに押し込むことにより、インク供給針１０６がインクカートリッジ１のインク供給口３に挿通される。
【０１４５】
次に、インクカートリッジ１をカートリッジ装着部１０１から取り外す際の、インク供給針１０６等からのインクカートリッジ１の切り離し過程について説明する。
【０１４６】
上述したようにインクカートリッジ１を挿入方向Ｘに押し込むことによって、カートリッジ側固定構造７及び装置側固定構造１０７によるインクカートリッジ１の固定が解除され、インクカートリッジ１の引抜き方向Ｙへの移動が可能となる。固定が解除されたインクカートリッジ１は、最初はスライダー部材１０２と共に引抜き方向Ｙに移動し、この移動によりインク供給針１０６がインクカートリッジ１のインク供給口３から抜ける。
【０１４７】
このようにしてインク供給針１０６がインク供給口３から抜けた時点では、記憶装置８の電極８ａと装置側接点１１３との接続が維持されているので、装置本体と記憶装置８との間のデータの授受が可能である。このようにインクカートリッジ１の固定が解除された後も、インクカートリッジ１の記憶装置８と装置本体との間でデータの授受が可能であり、データの送信ミスを防止することができる。
【０１４８】
インクカートリッジ１をさらに引抜き方向Ｙに移動させると、スライダー部材１０２が所定の停止位置で移動不能となる。ここからさらにインクカートリッジ１を引抜き方向Ｙに移動させることにより、インクカートリッジ１の加圧流体導入口４から加圧流体ポート１０５が分離されると共に、インクカートリッジ１の位置決め孔５ａ、５ｂから位置決め突起部１０３ａ、１０３ｂが抜ける。また、記憶装置８の電極８ａと装置側接点１１３とが切り離される。
【０１４９】
以上述べたように本実施形態によるインクカートリッジ１は、インクジェット式記録装置１００のカートリッジ装着部１０１に対して容易且つ確実に装着することができる。
【０１５０】
特に、本実施形態によるインクカートリッジ１においては、案内溝１６の入口部１６ａに形成する入口部傾斜面２２の幅を大きく取ることができるので、案内溝１６に対する係止ピン１１２の挿入を確実に行うことができる。係止ピン１１２を含む回動レバー部材１０８は、その機能上、インクカートリッジ１の挿抜方向Ｘ、Ｙに直交する方向Ｚに揺動するように設計されるため、係止ピン１１２の初期位置（インクカートリッジ未装着状態での位置）にバラツキが生じる可能性があるが、入口部傾斜面２２の幅を大きく取ることでこのようなバラツキを許容することができる。
【０１５１】
また、本実施形態によるインクカートリッジ１においては、インクカートリッジ１をカートリッジ装着部１０１に挿入するという一つの動作（ワンプッシュ動作）のみで装着操作を完了することが可能であり、一方、カートリッジ装着部１０１からインクカートリッジ１を取り外す際には、インクカートリッジ１を僅かに押し込むという簡単な動作のみでインクカートリッジ１の固定状態を解除することができる。このように本実施形態においてはインクカートリッジ１の着脱操作を極めて容易に行うことができる。
【０１５２】
また、本実施形態によるインクカートリッジ１においては、案内溝１６が、カートリッジ表面に形成された凹部１７の底面に形成されているので、案内溝１６に係止ピン１１２を挿入した状態において、カートリッジ表面からの回動レバー部材１０８の突出量を小さくし又はゼロにすることが可能である。このため、カートリッジ装着部１０１の厚みを小さくすることが可能であり、ひいてはインクジェット式記録装置１００全体を薄くすることができる。特に、図１に示したインクジェット式記録装置１００のように複数のインクカートリッジ１を平置きして並置する形式の装置の場合、装置全体の薄型化が重要であるから、カートリッジ装着部１０１の厚みを小さくできる本実施形態によるインクカートリッジ１は極めて有効である。
【０１５３】
また、本実施形態によるインクカートリッジ１によれば、電極８ａを含む記憶装置８をカートリッジ側固定構造７の近傍に配置したので、記憶装置８の電極８ａをカートリッジ装着部１０１の装置側接点１１３に確実に接続することができる。
【０１５４】
特に、バネ部材１０９の付勢力が、係止ピン１１２及び最終停止用側壁部１８ａを介して、記憶装置８の電極８ａをカートリッジ装着部１０１の装置側接点１１３の方向に押し付けるように作用するので、装置側接点１１３に対する記憶装置８の電極８ａの接続を確実なものとすることができる。
【０１５５】
また、容器本体２全体のうちのインク供給口３に近い位置に、カートリッジ側固定構造７及び電極８ａを含む記憶装置８を配置することによって、装置側接点１１３に対する記憶装置８の電極８ａの接続をより一層確実なものとすることができる。
【０１５６】
また、カートリッジ側固定構造７並びに正確な位置決めに利用される位置決め孔５ａ及びカートリッジ側位置決め面２４ａの近傍に、電極８ａを含む記憶装置８を配置することによって、装置側接点１１３に対する記憶装置８の電極８ａの接続をより一層確実なものとすることができる。
【図面の簡単な説明】
【０１５７】
【図１】本発明の一実施形態によるインクカートリッジ及びこのインクカートリッジが装着されるインクジェット式記録装置のカートリッジ装着部を示した斜視図。
【図２】本発明の一実施形態によるインクカートリッジを示した図であり、（ａ）は平面図、（ｂ）は側面図、（ｃ）は背面図、（ｄ）は正面図。
【図３】本発明の一実施形態によるインクカートリッジを示した図であり、（ａ）は底面図、（ｂ）は側面図。
【図４】本発明の一実施形態によるインクカートリッジを示した斜視図であり、（ａ）は斜め上方の後面が見える方向から見た図、（ｂ）は斜め下方の前面が見える方向から見た図、（ｃ）は斜め下方の後面が見える方向から見た図、（ｄ）は斜め上方の前面が見える方向から見た図。
【図５】本発明の一実施形態によるインクカートリッジの分解斜視図。
【図６】本発明の一実施形態によるインクカートリッジからその蓋部材を外した状態を示した図であり、（ａ）はインク袋を収納した状態の平面図、（ｂ）は（ａ）の正面図、（ｃ）はインク袋を収納していない状態の平面図、（ｄ）は（ｃ）の正面図。
【図７】本発明の一実施形態によるインクカートリッジをインクジェット式記録装置のカートリッジ装着部に装着した状態を装置内部が見えるように示した平面図。
【図８】本発明の一実施形態によるインクカートリッジをインクジェット式記録装置のカートリッジ装着部に装着した状態を装置内部が見えるように示した斜視図。
【図９】図７に示したインクジェット式記録装置のカートリッジ装着部を、インクカートリッジ未装着の状態で装置内部が見えるように示した平面図。
【図１０】図８に示したインクジェット式記録装置のカートリッジ装着部を、インクカートリッジ未装着の状態で装置内部が見えるように示した斜視図。
【図１１】（ａ）は本発明の一実施形態によるインクカートリッジをインクジェット式記録装置のカートリッジ装着部に装着した状態を装置内部が見えるように示した平面図、（ｂ）は（ａ）のｂ−ｂ線に沿った断面図。
【図１２】図７に示したインクジェット式記録装置のカートリッジ装着部を、スライダーを取り外した状態で装置内部が見えるように示した平面図。
【図１３】図８に示したインクジェット式記録装置のカートリッジ装着部を、スライダーを取り外した状態で装置内部が見えるように示した斜視図。
【図１４】図１２及び図１３に示したカートリッジ装着部の回動レバー部材を拡大して示した斜視図であり、（ａ）は斜め上方から見た図、（ｂ）は斜め下方から見た図。
【図１５】本発明の一実施形態によるインクカートリッジを拡大して示した図であり、（ａ）は前端部の裏面を示した底面図、（ｂ）は前面を示した正面図。
【図１６】本発明の一実施形態によるインクカートリッジの案内溝の深さ形状を説明するための図であり、（ａ）に示したｂ−ｂ線及びｃ−ｃ線に沿った各断面図が（ｂ）及び（ｃ）にそれぞれ示されている。
【図１７】本発明の一実施形態によるインクカートリッジの着脱操作時における案内溝内での係止ピンの動作を説明するための図。
【符号の説明】
【０１５８】
１  インクカートリッジ
２  容器本体２Ａ  ケース本体２Ｂ  蓋部材
３  インク供給口
４  加圧流体導入口
５ａ、５ｂ  位置決め孔
６  誤装着防止構造
７  カートリッジ側固定構造
８  記憶装置８ａ  電極（カートリッジ側電極）８ｂ  回路基板
９  インク袋
１６  案内溝
１６ａ  案内溝の入口部
１６ｂ  案内溝の出口部
１７  案内溝形成用の凹部
１８  案内溝の係止部
１８ａ  最終停止用側壁部
１９  案内溝の入口側案内部
２０  案内溝の中間案内部
２０ａ  暫定停止用側壁部
２１  案内溝の出口側案内部
２１ａ  出口側案内部の湾曲側壁部
２１ｂ  出口側案内部の直線状傾斜面
２１ｃ  出口側案内部の直線状平坦部
２２  入口部傾斜面
２２ａ、２２ｂ、２２ｃ  開口部
２２ａ、２２ｂ  平行縁部
２３  案内溝の入口部と出口部との接続部における段差
２４ａ、２４ｂ  カートリッジ側位置決め面
１００  インクジェット式記録装置
１０１  カートリッジ装着部
１０２  スライダー部材
１０３ａ、１０３ｂ  位置決め突起部
１０４ａ、１０４ｂ  装置側位置決め面
１０５  加圧流体ポート
１０６  インク供給針
１０７  装置側固定構造
１０８  回動レバー部材
１０９  バネ部材
１１０  レバー本体
１１１  ピン取付部
１１２  係止ピン
１１３  装置側接点
１１４  スライダー部材の接点用突出部
１１６  凹部
１１６ａ  周壁
１１６ａ１  突起部
１１６ａ２、１１６ａ３、１１６ａ４  部分
１１６ｂ  底部
２１６  案内突起部
２１６ａ、２１６ｂ、２１６ｃ  縁部
２１６ｄ、２１６e、２１６ｆ  頂点
【図１】
2006015722.tif 000003
【図２】
2006015722.tif 000004
【図３】
2006015722.tif 000005
【図４】
2006015722.tif 000006
【図５】
2006015722.tif 000007
【図６】
2006015722.tif 000008
【図７】
2006015722.tif 000009
【図８】
2006015722.tif 000010
【図９】
2006015722.tif 000011
【図１０】
2006015722.tif 000012
【図１１】
2006015722.tif 000013
【図１２】
2006015722.tif 000014
【図１３】
2006015722.tif 000015
【図１４】
2006015722.tif 000016
【図１５】
2006015722.tif 000017
【図１６】
2006015722.tif 000018
【図１７】
2006015722.tif 000019